(57)【要約】［課題］ユーザ装置に接続される端末に係る通信を制御するための新たな仕組みを提供することができる。［解決手段］ユーザ装置に接続される端末のＭＡＣ（Media Access Control）アドレスを示す第１の識別情報と、該ユーザ装置のポート番号を示す第２の識別情報を受信するように構成される受信機を有する。コアネットワーク装置は、該第１の識別情報に対応づけられた第３の識別情報であって、該端末が送受信するパケットを制御するためのポリシーを識別する該第３の識別情報を記憶するように構成される記憶装置を有する。コアネットワーク装置は、該第２の識別情報と該第３の識別情報とを含むポリシー情報を生成するように構成されるプロセッサとを有する。
2018012483.tif 000002
【特許請求の範囲】
【請求項１】
ユーザ装置と、
前記ユーザ装置に接続される端末と、
コアネットワーク装置と、
を有する通信システムであって、
前記ユーザ装置は、
前記ユーザ装置に接続される端末のＭＡＣ（Media Access Control）アドレスを示す第１の識別情報と、前記ユーザ装置のポート番号を示す第２の識別情報とを送信し、
前記コアネットワーク装置は、
前記第１の識別情報と、前記第２の識別情報とを受信し、
前記第１の識別情報に対応づけられた第３の識別情報であって、前記端末が送受信するパケットを制御するためのポリシーを識別する前記第３の識別情報を記憶し、
前記第２の識別情報と前記第３の識別情報とを含むポリシー情報を生成する、
通信システム。
【請求項２】
前記コアネットワーク装置が含まれるコアネットワークと外部ネットワークとを接続するためのゲートウェイを有し、
前記ゲートウェイと前記ユーザ装置との間に確立されたベアラを介して、前記ユーザ装置に接続される複数の端末に関するパケットの送受信が行われる、
請求項１に記載の通信システム。
【請求項３】
前記コアネットワーク装置は、ＰＧＷ（Packet Data Network Gateway）、または前記ＰＧＷを制御するＰＣＲＦ（Policy and Charging Rules Function）に含まれる、
請求項１または２に記載の通信システム。
【請求項４】
前記ユーザ装置は、前記端末から送信されたパケットの送信元ポート番号を、前記端末のポート番号から、前記第２の識別情報に示されるポート番号に変換する、
請求項１乃至３のいずれか一項に記載の通信システム。
【請求項５】
前記ユーザ装置は、前記ユーザ装置から前記端末に向けて送信されるパケットの送信元ポート番号を、前記第２の識別情報に示されるポート番号から、前記端末のポート番号に変換する、
請求項１乃至４のいずれか一項に記載の通信システム。
【請求項６】
コアネットワーク装置であって、
ユーザ装置に接続される端末のＭＡＣ（Media Access Control）アドレスを示す第１の識別情報と、前記ユーザ装置のポート番号を示す第２の識別情報を受信するように構成される受信機と、
前記第１の識別情報に対応づけられた第３の識別情報であって、前記端末が送受信するパケットを制御するためのポリシーを識別する前記第３の識別情報を記憶するように構成される記憶装置と、
前記第２の識別情報と前記第３の識別情報とを含むポリシー情報を生成するように構成されるプロセッサと、を有する、
コアネットワーク装置。
【請求項７】
前記コアネットワーク装置が含まれるコアネットワークと外部ネットワークとを接続するためのゲートウェイと、前記ユーザ装置との間に確立されたベアラを介して、前記ユーザ装置に接続される複数の端末に関するパケットの送受信が行われる、
請求項６に記載のコアネットワーク装置。
【請求項８】
前記コアネットワーク装置は、ＰＧＷ（Packet Data Network Gateway）、または前記ＰＧＷを制御するＰＣＲＦ（Policy and Charging Rules Function）に含まれる、
請求項６または７に記載のコアネットワーク装置。
【請求項９】
前記端末から送信されたパケットの送信元ポート番号が、前記端末のポート番号から、前記第２の識別情報に示されるポート番号に変換される、
請求項６乃至８のいずれか一項に記載のコアネットワーク装置。
【請求項１０】
前記ユーザ装置から前記端末に向けて送信されるパケットの送信元ポート番号が、前記第２の識別情報に示されるポート番号から、前記端末のポート番号に変換される、
請求項６乃至９のいずれか一項に記載のコアネットワーク装置。
【請求項１１】
ユーザ装置に接続される端末のＭＡＣ（Media Access Control）アドレスを示す第１の識別情報と、前記ユーザ装置のポート番号を示す第２の識別情報とを受信し、
前記第１の識別情報に対応づけられた第３の識別情報であって、前記端末が送受信するパケットを制御するためのポリシーを識別する前記第３の識別情報を特定し、
前記第２の識別情報と前記第３の識別情報とを含むポリシー情報を生成する、
通信方法。
【請求項１２】
コアネットワークと外部ネットワークとを接続するためのゲートウェイと、前記ユーザ装置との間に確立されたベアラを介して、前記ユーザ装置に接続される複数の端末に関するパケットの送受信が行われる、
請求項１１に記載の通信方法。
【請求項１３】
前記ポリシー情報の生成が、ＰＧＷ（Packet Data Network Gateway）、または前記ＰＧＷを制御するＰＣＲＦ（Policy and Charging Rules Function）にて実施される、
請求項１１または１２に記載の通信方法。
【請求項１４】
前記端末から送信されたパケットの送信元ポート番号が、前記端末のポート番号から、前記第２の識別情報に示されるポート番号に変換される、
請求項１１乃至１３のいずれか一項に記載の通信方法。
【請求項１５】
前記ユーザ装置から前記端末に向けて送信されるパケットの送信元ポート番号が、前記第２の識別情報に示されるポート番号から、前記端末のポート番号に変換される、
請求項１１乃至１４のいずれか一項に記載の通信方法。
【請求項１６】
コンピュータに、
ユーザ装置に接続される端末のＭＡＣ（Media Access Control）アドレスを示す第１の識別情報と、前記ユーザ装置のポート番号を示す第２の識別情報とを受信する処理と、
前記第１の識別情報に対応づけられた第３の識別情報であって、前記端末が送受信するパケットを制御するためのポリシーを識別する前記第３の識別情報を特定する処理と、
前記第２の識別情報と前記第３の識別情報とを含むポリシー情報を生成する処理と、
を実行させるプログラムが記録された記録媒体。
【請求項１７】
コンピュータに、
コアネットワークと外部ネットワークとを接続するためのゲートウェイと、前記ユーザ装置との間に確立されたベアラを介して、前記ユーザ装置に接続される複数の端末に関するパケットの送受信を行う処理、を実行させる
請求項１６に記載のプログラムが記録された記録媒体。
【請求項１８】
コンピュータに、
前記ポリシー情報の生成を、ＰＧＷ（Packet Data Network Gateway）、または前記ＰＧＷを制御するＰＣＲＦ（Policy and Charging Rules Function）にて実施する処理、を実行させる
請求項１６または１７に記載のプログラムが記録された記録媒体。
【請求項１９】
コンピュータに、
前記端末から送信されたパケットの送信元ポート番号が、前記端末のポート番号から、前記第２の識別情報に示されるポート番号に変換する処理、を実行させる
請求項１６乃至１８のいずれか一項に記載のプログラムが記録された記録媒体。
【請求項２０】
コンピュータに、
前記ユーザ装置から前記端末に向けて送信されるパケットの送信元ポート番号が、前記第２の識別情報に示されるポート番号から、前記端末のポート番号に変換する処理、を実行させる、
請求項１６乃至１９のいずれか一項に記載のプログラムが記録された記録媒体。
【発明の詳細な説明】
【技術分野】
【０００１】
本発明は、通信システム、コアネットワーク装置、通信方法、プログラムに関する。
【背景技術】
【０００２】
特許文献１において、モバイルルータの機能を有するユーザ機器が示されている。ユーザ機器は、他の端末に対して、無線ローカルエリアネットワークのようなアクセス技術を用いた接続を提供する。
【先行技術文献】
【特許文献】
【０００３】
【特許文献１】特表２０１４−５１４７８４号公報
【発明の概要】
【発明が解決しようとする課題】
【０００４】
特許文献１には、アクセスのために、他の端末ごとに新しいベアラを確立することが記載されている。【０００５】
しかし、一般的に、確立できるベアラ数は制限がある。【０００６】
例示的な実施形態の目的の一つは、ユーザ装置に接続される端末の通信を制御するための新たな仕組みを提供することにある。なお、この目的は、本明細書に開示される実施形態が達成しようとする複数の目的の１つに過ぎない。その他の目的又は課題と新規な特徴とは、本明細書の記述又は添付図面から明らかにされる。
【課題を解決するための手段】
【０００７】
例示的な実施形態の通信システムは、ユーザ装置と、前記ユーザ装置に接続される端末と、コアネットワーク装置と、を有する。前記ユーザ装置は、前記ユーザ装置に接続される端末のＭＡＣ（Media Access Control）アドレスを示す第１の識別情報と、前記ユーザ装置のポート番号を示す第２の識別情報とを送信する。前記コアネットワーク装置は、前記第１の識別情報と、前記第２の識別情報とを受信し、前記第１の識別情報に対応づけられた第３の識別情報であって、前記端末が送受信するパケットを制御するためのポリシーを識別する前記第３の識別情報を記憶し、前記第２の識別情報と前記第３の識別情報とを含むポリシー情報を生成する。【０００８】
例示的な実施形態のコアネットワーク装置は、ユーザ装置に接続される端末のＭＡＣ（Media Access Control）アドレスを示す第１の識別情報と、前記ユーザ装置のポート番号を示す第２の識別情報とを受信するように構成される受信機を有する。コアネットワーク装置は、前記第１の識別情報に対応づけられた第３の識別情報であって、前記端末が送受信するパケットを制御するためのポリシーを識別する前記第３の識別情報を記憶するように構成される記憶装置を有する。コアネットワーク装置は、前記第２の識別情報と前記第３の識別情報とを含むポリシー情報を生成するように構成されるプロセッサと、を有する。【０００９】
例示的な実施形態の通信方法は、ユーザ装置に接続される端末のＭＡＣ（Media Access Control）アドレスを示す第１の識別情報と、前記ユーザ装置のポート番号を示す第２の識別情報とを受信し、前記第１の識別情報に対応づけられた第３の識別情報であって、前記端末が送受信するパケットを制御するためのポリシーを識別する前記第３の識別情報を特定し、前記第２の識別情報と前記第３の識別情報とを含むポリシー情報を生成する。【００１０】
例示的な実施形態のプログラムは、コンピュータに、ユーザ装置に接続される端末のＭＡＣ（Media Access Control）アドレスを示す第１の識別情報と、前記ユーザ装置のポート番号を示す第２の識別情報とを受信する処理と、前記第１の識別情報に対応づけられた第３の識別情報であって、前記端末が送受信するパケットを制御するためのポリシーを識別する前記第３の識別情報を特定する処理と、前記第２の識別情報と前記第３の識別情報とを含むポリシー情報を生成する処理と、を実行させる。
【発明の効果】
【００１１】
本発明の例示的な実施形態によれば、ユーザ装置に接続される端末に係る通信を制御するための新たな仕組みを提供することができる。
【図面の簡単な説明】
【００１２】
【図１】第１の例示的な実施形態に関する通信システムを示す。
【図２】第１の例示的な実施形態のユーザ装置を示す。
【図３】第１の例示的な実施形態の端末管理システムを示す。
【図４】第１の例示的な実施形態の動作シーケンスを示す。
【図５】第１の例示的な実施形態における通信時の動作シーケンスを示す。
【図６】第２の例示的な実施形態のユーザ装置を示す。
【図７】第２の例示的な実施形態のコアネットワーク装置を示す。
【図８】第２の例示的な実施形態の通信システムを示す。
【発明を実施するための形態】
【００１３】
例示的な実施形態について、図面を参照して詳細に説明する。本明細書における少なくとも一つの端末は、移動可能な端末を対象とする。つまり全ての端末が必ずしも移動している必要はない。各図面において、同一又は対応する要素には同一の符号が付されており、説明の明確化のため、必要に応じて重複説明は省略される。
【００１４】
また、本明細書及び図面において、実質的に同一の機能構成を有する複数の構成要素を、同一の符号の後にアンダースコア（アンダーバー）と数字を付して区別する場合もある。例えば、実質的に同一の機能構成を有する複数の構成を、必要に応じて端末１０＿１および１０＿２のように区別する。ただし、実質的に同一の機能構成を有する複数の構成要素の各々を特に区別する必要がない場合、同一符号のみを付する。例えば、端末１０＿１及び１０＿２を特に区別する必要が無い場合には、単に端末１０と称する。
【００１５】
以下に説明される複数の例示的な実施形態は、独立に実施されることもできるし、適宜組み合わせて実施されることもできる。
【００１６】
＜例示的な実施形態の概要＞
例示的な実施形態は、例えば、３ＧＰＰ（3rd Generation Partnership Project）ネットワークにおけるユーザ装置（ＵＥ：User Equipment）に接続される端末を識別し、識別した端末のポリシー管理を行う新たな仕組みに関連する。
【００１７】
＜第１の例示的な実施形態＞
図１は、第１の例示的な実施形態に関する通信システムの一例を示す。通信システムは、端末１０と、ユーザ装置２０と、ｅＮｏｄｅＢ（evolved Node B）３０と、コアネットワーク４０とＰＤＮ（Packet Data Network）９０とを含む。コアネットワーク４０は、ＳＧＷ（Serving Gateway）３１と、ＭＭＥ（Mobility Management Entity）３２と、ＰＧＷ（PDN Gateway）６０と、端末管理システム７０と、ＰＣＲＦ（Policy and Charging Rules Function）８０を含む。
【００１８】
端末１０は、非３ＧＰＰデバイスである。端末１０は、ユーザ装置２０に接続可能に構成される。端末１０は、ユーザ装置２０を介して、３ＧＰＰネットワークを利用してＰＤＮ９０に接続し、ＰＤＮ９０のサービスを受けることが可能である。３ＧＰＰネットワークは、ｅＮｏｄｅＢ３０から構成されるアクセスネットワークと、コアネットワーク４０を少なくとも含む。端末１０には、ＭＡＣアドレス１００が一つ割当てられている。ＭＡＣアドレス１００＿ｎは、物理アドレスであって、端末１０＿ｎを一意に識別できる。
【００１９】
ユーザ装置２０は、ｅＮｏｄｅＢ３０に接続可能に構成される。また、ユーザ装置２０は、端末１０に接続可能に構成され、端末１０と接続するために無線ＬＡＮ（Local Area Network）技術を用いる場合、モバイル無線ＬＡＮルータとして機能する。ユーザ装置２０は、端末１０＿ｎを識別するＭＡＣアドレス１００＿ｎに対して、ランダムに割り当てたポート番号である識別ポート番号５００＿ｎを対応づけて記憶する。また、ユーザ装置２０は、ＵＥ識別子６００を有する。ＵＥ識別子６００が、ユーザ装置２０を識別する。ユーザ装置２０は、ＭＡＣアドレス１００と識別ポート番号５００とを含むアクセス情報を、端末管理システム７０宛に送信する。
【００２０】
ｅＮｏｄｅＢ３０は、ユーザ装置２０から受信した情報をコアネットワーク４０に送信する。また、ｅＮｏｄｅＢ３０は、コアネットワーク４０からの情報をユーザ装置２０に送信する。
【００２１】
ＳＧＷ３１は、公衆インターネット等を含む外部ネットワークであるＰＤＮ９０に接続するためのＰＧＷ６０に接続するための装置（ノード）である。ＳＧＷ３１は、ｅＮｏｄｅＢ３０とＰＧＷ６０との間でユーザパケットを中継するユーザデータ転送機能を有する。
【００２２】
ＭＭＥ３２は、ｅＮｏｄｅＢ３０とＳＧＷ３１との間で制御信号を送受信する。
【００２３】
ＰＧＷ６０は、端末管理システム７０と、ＰＣＲＦ８０と、ＰＤＮ９０とに接続される。ＰＧＷ６０は、アクセス情報を、端末管理システム７０に送信する。ＰＧＷ６０は、ＰＣＲＦ８０からポリシー情報を受信する。ＰＧＷ６０は、受信したデータをＰＤＮ９０に送信し、ＰＤＮ９０から受信したデータをＳＧＷ３１に送信する。
【００２４】
端末管理システム７０は、ユーザ装置２０によって送信されたアクセス情報を受信する。端末管理システム７０は、アクセス情報に含まれるＭＡＣアドレス１００＿ｎに対してポリシー識別子８００を対応づける。端末管理システム７０は、ポリシー識別子８００と、識別ポート番号５００＿ｎと、ＵＥ識別子とを含むポリシー情報を、ＰＣＲＦ８０に送信する。ここで、ＵＥ識別子６００は、ユーザ装置２０を一意に特定できる識別情報である。ＵＥ識別子６００は、例えば、ＩＭＳＩ（International Mobile Subscriber Identity）である。端末管理システム７０は、ＵＥ識別子６００と、アクセス情報とを対応づけて、記憶する。なお、ＩＭＳＩの代わりに、ＴＭＳＩ（Temporary Mobile Subscriber Identity）またはＧＵＴＩ（Globally Unique Temporary UE Identity）が用いられてもよい。
【００２５】
ＰＣＲＦ８０は、ユーザ装置２０の識別ポート番号５００＿ｎを管理する。これによって、ＰＣＲＦ８０は、端末１０＿ｎの通信に適用するポリシーを管理することができる。例えば、ＰＣＲＦ８０は、取得したポリシー情報にもとづいて、ＵＥ識別子６００の識別ポート番号＿ｎに対するポリシーを管理し、ＰＧＷ６０を制御するためにポリシー情報をＰＧＷ６０へ送信する。
【００２６】
図２は、第１の例示的な実施形態のユーザ装置２０を示す。
【００２７】
ユーザ装置２０は、無線ＬＡＮ送受信部２１１と、通信制御部２１２と、端末接続部２１３と、データベース２１４と、３ＧＰＰ送受信部２１６とを有する。データベース２１４は、端末管理テーブル２１５を有する記憶装置である。
【００２８】
無線ＬＡＮ送受信部２１１は、端末１０と信号を送受信する。
【００２９】
３ＧＰＰ送受信部２１６は、３ＧＰＰネットワークと信号を送受信する。
【００３０】
端末接続部２１３は、端末１０からの接続要求を無線ＬＡＮ送受信部２１１から受信する。端末接続部２１３は、受信した接続要求に含まれるＭＡＣアドレスをキーとして端末管理テーブル２１５を検索する。このＭＡＣアドレスが、端末管理テーブル２１５に記憶されていない場合、ランダムに割り当てたポート番号（識別ポート番号ともいう）をこのＭＡＣアドレスに対応づけて、端末管理テーブル２１５に記憶される。また、端末接続部２１３は、端末管理テーブル２１５に記憶したＭＡＣアドレスと識別ポート番号とを含むアクセス情報を３ＧＰＰ送受信部２１６へ送信する。
【００３１】
通信制御部２１２は、端末１０＿ｎと接続が完了した後、送信元が端末１０＿ｎであるＩＰパケットを無線ＬＡＮ送受信部２１１から受信する。通信制御部２１２は、ＭＡＣアドレスをキーとして端末管理テーブル２１５を検索し、識別ポート番号を特定する。また、通信制御部２１２は、ＩＰパケットの送信元ポート番号を識別ポート番号に変換し、変換したＩＰパケットを、３ＧＰＰ送受信部２１６へ送信する。
【００３２】
３ＧＰＰ送受信部２１６は、送信元ポート番号が識別ポート番号に変換されたＩＰパケットを、３ＧＰＰネットワークへ送信する。また、３ＧＰＰ送受信部２１６は、端末管理テーブル２１５に記憶されたＭＡＣアドレスと識別ポート番号を含むアクセス情報を、３ＧＰＰネットワークへ送信する。
【００３３】
なお、ユーザ装置２０の電池切れ、メモリ揮発、またはハード初期化などに伴う端末管理テーブル２１５に記憶されたデータが消滅した場合、端末１０＿ｎから再度の接続要求を受信し、端末管理テーブル２１５に、再記憶する処理が行われてもよい。
【００３４】
図３は、第１の例示的な実施形態の端末管理システム７０を示す。
【００３５】
端末管理システム７０は、受信部７１０と、端末管理部７１１と、データベース７１２と、送信部７１５を有する。データベース７１２は、端末管理テーブル７１３とポリシー管理テーブル７１４とを有する記憶装置である。
【００３６】
受信部７１０は、ＰＧＷ６０からユーザ装置２０のアクセス情報を受信し、受信したアクセス情報を端末管理部７１１に送信する。
【００３７】
端末管理部７１１は、ユーザ装置２０のアクセス情報を受信する。端末管理部７１１は、アクセス情報に含まれるＭＡＣアドレスが、端末管理テーブル７１３に記憶されているか否かを確認する。ＭＡＣアドレスが記憶されていない場合、アクセス情報に含まれるＭＡＣアドレスおよび識別ポート番号と、ＵＥ識別子を関連付けて、端末管理テーブル７１３に記憶する。
【００３８】
また、端末管理部７１１は、端末管理テーブル７１３に記憶されたＭＡＣアドレスをキーとしてポリシー管理テーブル７１４を検索する。端末管理部７１１は、このＭＡＣアドレスに対応するポリシー識別子を取得し、ＵＥ識別子と識別ポート番号、及び、ポリシー識別子を含むポリシー情報を生成する。
【００３９】
送信部７１５は、端末管理部７１１にて生成されたポリシー情報を、ＰＣＲＦ８０に送信する。
【００４０】
端末管理部７１１は、受信部７１０が受信したアクセス情報に含まれるＭＡＣアドレスとＵＥ識別子とが対応づけられて端末管理テーブル７１３に記憶されている場合、識別ポート番号が更新されたと判断する。この場合、アクセス情報に含まれる識別ポート番号を上書きで記憶し、上書きされた識別ポート番号を含むポリシー情報をＰＣＲＦ８０へ送信する。
【００４１】
ポリシー管理テーブル７１４は、ＭＡＣアドレスに対応付けられたポリシー識別子をあらかじめ記憶しておいてもよい。ＭＡＣアドレスに対応付けられたポリシー識別子は、端末管理システム７０の外部から受信する情報に基づき、更新されてもよい。
【００４２】
図４は、第１の例示的な実施形態の動作シーケンスを示す。
【００４３】
Ｓ１０１において、ユーザ装置２０の無線ＬＡＮ送受信部２１１は、端末１０から、接続要求を受信する。
【００４４】
Ｓ１０２において、端末１０から初めて接続要求を受信した場合、端末接続部２１３は、端末１０のＭＡＣアドレスと、ランダムに割り当てた識別ポート番号を対応づけて、端末管理テーブル２１５に記憶する。
【００４５】
Ｓ１０３において、ユーザ装置２０の３ＧＰＰ送受信部２１６が、ＭＡＣアドレスと識別ポート番号を含むアクセス情報を、端末管理システム７０へ送信する。アクセス情報は、ユーザ装置２０からｅＮｏｄｅＢ３０とＳＧＷ３１とＰＧＷ６０とを介して、端末管理システム７０に送信される。このアクセス情報は、ＵＥ識別子を含んでもよい。
【００４６】
Ｓ１０４において、端末管理システム７０の端末管理部７１１は、端末１０のＭＡＣアドレスと、ＵＥ識別子と、識別ポート番号とを端末管理テーブル７１３に記憶する。
【００４７】
Ｓ１０５において、端末管理システム７０の送信部７１５は、端末管理テーブル７１３に記憶されたＭＡＣアドレスと、ＵＥ識別子と、識別ポート番号に対応づけられたポリシー識別子とを含むポリシー情報を、ＰＣＲＦ８０に送信する。
【００４８】
Ｓ１０６において、ＰＣＲＦ８０は、受信したポリシー情報を処理する。例えば、ＰＣＲＦ８０は、ポリシー識別子にて示されるポリシーと、ポリシーを適用する対象（ＵＥ識別子と識別ポート番号とから特定されうる）とを識別する。
【００４９】
Ｓ１０７において、ＰＣＲＦ８０は、ポリシー情報をＰＧＷ６０に送信する。
【００５０】
Ｓ１０８において、ＰＣＲＦ８０から受信したポリシー情報を登録する。
【００５１】
Ｓ１０９において、ＰＣＲＦ８０へ、ポリシー情報を登録したことを示すポリシー登録応答を送信する。
【００５２】
Ｓ１１０において、ＰＣＲＦ８０は、端末管理システム７０に対して、端末登録応答を送信する。端末管理システム７０は、ＰＧＷ６０を介して、ユーザ装置２０に端末登録応答を送信する。
【００５３】
Ｓ１１１において、ユーザ装置２０は、Ｓ１０１で接続要求を送信した端末１０に対して、接続応答を送信する。
【００５４】
Ｓ１１２において、端末１０とユーザ装置２０との接続が完了する。これによって、端末１０がユーザ装置２０を介して通信することが可能になる。
【００５５】
図５は、第１の例示的な実施形態における通信時の動作シーケンスを示す。
【００５６】
Ｓ２０１において、端末１０は、ユーザ装置２０に対して、ＩＰパケットを送信する。
【００５７】
Ｓ２０２において、ユーザ装置２０の通信制御部２１２は、受信したＩＰパケットの送信元ポート番号を、端末１０のＭＡＣアドレスに対応づけられた識別ポート番号に変換する。
【００５８】
Ｓ２０３において、ユーザ装置２０の３ＧＰＰ送受信部２１６は、Ｓ２０２にて変換されたＩＰパケットを、ＰＧＷ６０に送信する。ＩＰパケットは、ｅＮｏｄｅＢ３０と、ＳＧＷ３１とを経由して、ＰＧＷ６０に到着する。
【００５９】
Ｓ２０４において、ＰＧＷ６０は、ＩＰパケットの変換された送信元ポート番号（識別ポート番号）に対して、登録済みポリシーを適用する。
【００６０】
Ｓ２０５において、ポリシーが適用されたＩＰパケットがＰＤＮ９０に送信される。
【００６１】
Ｓ２０１からＳ２０５において、端末１０からＰＤＮ９０に向けて送信されるＩＰパケットについての動作が示された。
【００６２】
続いて、Ｓ３０１からＳ３０５において、ＰＤＮ９０から端末１０に向けて送信されるＩＰパケットについての動作が示される。
【００６３】
Ｓ３０１において、ＰＤＮ９０からＰＧＷ６０に、ＩＰパケットが到着する。
【００６４】
Ｓ３０２において、ＰＧＷ６０は、到着したＩＰパケットの送信先ポート番号を確認し、端末１０宛のＩＰパケットであることを判断する。ＰＧＷ６０は、このＩＰパケットに対して、登録済みポリシーを適用する。
【００６５】
Ｓ３０３において、ＰＧＷ６０は、ＩＰパケットをユーザ装置２０に送信する。
【００６６】
Ｓ３０４において、ユーザ装置２０は、ＩＰパケットの送信先ポート番号を、端末１０のポート番号に変換する。例えば、Ｓ２０２において、端末１０のポート番号（端末１０から送信されるＩＰパケットの送信元ポート番号）を識別ポート番号に変換した情報に基づいて、Ｓ３０４では逆の変換をおこなってもよい。Ｓ３０３のＩＰパケットの送信先ポート番号が識別ポート番号となっている場合、Ｓ３０４において送信先ポート番号が、識別ポート番号から端末１０のポート番号に変換される。
【００６７】
Ｓ３０５において、ユーザ装置２０は、送信先ポート番号が変換されたＩＰパケットを、端末１０に送信する。
【００６８】
なお、Ｓ２０２及びＳ３０４では、ポート番号の変換が示されたが、ＩＰアドレスが変換されてもよい。
【００６９】
上記例示的な実施形態によれば、ユーザ装置に接続される端末の通信を制御するための新たな仕組みを提供することができる。
【００７０】
ポリシー情報に基づいて、ＰＣＲＦ８０は、ユーザ装置２０に接続する端末１０のポリシー制御（管理）を行うことができる。ＰＧＷ６０は、ユーザ装置２０の識別ポート番号５００を使用して送受信するパケットに対してポリシーを適用する。これによって、端末１０に対するポリシーの適用（ポリシー制御）が可能となる。
【００７１】
また、コアネットワーク側で、ベアラの制限なく、端末１０のポリシー管理を行うことができる。端末１０に対して個別のベアラを確立する必要がなくなるからである。複数の端末１０＿１〜１０＿ｎが、ユーザ装置２０とコアネットワーク装置との間に確立された１つのベアラを共有して通信（パケットの送受信）できる。それぞれの端末１０ごとの通信に対するポリシーが、ベアラの数によらず制御できる。なお、ベアラは、ユーザ装置２０とＰＧＷ６０との間の情報を転送する双方向の伝送路である。
【００７２】
端末１０が非３ＧＰＰ端末であったとしても、コアネットワーク４０におけるコアネットワーク装置が、ポリシー適用の対象として、端末１０を識別できる。
【００７３】
また、３ＧＰＰ標準規格に関連するコアネットワークにおいて、ＰＧＷ６０とＰＣＲＦ８０以外の装置とに新たな機能及び／又は設定の追加が必要ないため、シンプルな通信システムを構築することができる。例えば、仮想移動体通信事業者（Mobile Virtual Network Operator）のように、ＭＭＥ３２を保有せず、ＰＧＷ６０とＰＣＲＦ８０の少なくとも一方を保有する事業者が、この通信システムを利用し、ポリシー制御を行うことができる。
【００７４】
また、端末１０のポリシー管理を行うために、例えば、ユーザ装置２０に端末１０のポリシーを制御するための機能を実装する必要がない。すなわち、ユーザ装置２０の複雑化を防止できる。これによって、例示的な実施形態によって、ユーザ装置２０の製造コストの増加、ユーザ装置２０の消費電力の増加等を防止することができる。
【００７５】
＜第２の例示的な実施形態＞
図６は、第２の例示的な実施形態のユーザ装置を示す。
ユーザ装置１０００は、第１送受信機１００１と、記憶装置１００２と、第２送受信機１００３とを有する。第１送受信機１００１は、端末を接続するように構成される。記憶装置１００２は、接続された端末を識別する第１の識別情報と、ユーザ装置１０００のポート番号を示す第２の識別情報と、を対応づけて記憶するように構成される。第２送受信機１００３は、対応づけて記憶された、第１の識別情報および第２の識別情報を、端末を識別するためのコアネットワーク装置に対して、送信するように構成される。
【００７６】
図７は、第２の例示的な実施形態のコアネットワーク装置を示す。
コアネットワーク装置２０００は、受信機２００１と、記憶装置２００２と、プロセッサ２００３を有する。受信機２００１は、ユーザ装置に接続される端末のＭＡＣアドレスを示す第１の識別情報と、ユーザ装置のポート番号を示す第２の識別情報を受信するように構成される。記憶装置２００２は、第１の識別情報に対応づけられた第３の識別情報であって、端末が送受信するパケットを制御するためのポリシーを識別する第３の識別情報を記憶するように構成される。プロセッサ２００３は、第２の識別情報と第３の識別情報とを含むポリシー情報を生成するように構成される。
【００７７】
図８は、第２の例示的な実施形態の通信システムを示す。
通信システム３０００は、端末３００１と、端末３００１が接続するユーザ装置３００２と、アクセスネットワーク３００３と、コアネットワーク装置３００５を含むコアネットワーク３００４を有する。ユーザ装置３００２は、端末３００１のＭＡＣアドレスを示す第１の識別情報と、ユーザ装置３００２のポート番号を示す第２の識別情報を、アクセスネットワーク３００３に対して送信する。コアネットワーク装置３００５は、アクセスネットワーク３００３とコアネットワーク３００４を介して、第１の識別情報と、第２の識別情報とを受信する。また、コアネットワーク装置３００５は、第１の識別情報に対応づけられた第３の識別情報であって、端末３００１が送受信するパケットを制御するためのポリシーを識別する第３の識別情報を記憶する。また、コアネットワーク装置３００５は、第２の識別情報と第３の識別情報とを含むポリシー情報を生成する。
【００７８】
上記例示的な実施形態によれば、ユーザ装置に接続される端末に係る通信を制御するための新たな仕組みを提供することができる。
【００７９】
＜他の例示的な実施形態＞
上記において、ポリシーの制御とは、例えば、ＱｏＳ（Quality of Service）制御であってもよい。例えば、ＱｏＳ制御は、ユーザ装置２０とｅＮｏｄｅＢ３０の間の無線ネットワーク区間とコアネットワーク側の双方で行われる。ＱｏＳを処理するパラメータにはＱＣＩ（QoS Class Identifier）がある。ＱＣＩによって、帯域制御の有無や遅延許容時間、パケットロス率などに応じて段階的に優先度を定める。例えば、ＱＣＩの１から４は帯域保証されるＧＢＲ（Guaranteed Bit Rate）、５から９は帯域保証されないＮｏｎ−ＧＢＲとなるなど、ＱＣＩに応じて各ベアラでＱｏＳ制御される。
【００８０】
また、上記実施形態では、ＬＴＥ（Long Term Evolution）方式の無線通信システムが例として示されたが、様々な実施形態の方法及び装置のうちの少なくともいくつかは、多くの非ＬＴＥ及び/または非セルラーシステムを含む広範囲の通信システムに適用可能である。例えば、上記実施形態は、ＵＭＴＳ（Universal Mobile Telecommunications System）方式であってもよい。
【００８１】
また、処理内容を手順として記述したコンピュータプログラム（以下、プログラムと称する）を、通信システム（無線通信システム）を構成する要素のそれぞれにて読取可能な記録媒体に記録し、この記録媒体に記録されたプログラムが通信システムの各構成要素それぞれに読み込まれ、実行されるものであってもよい。
【００８２】
この記録媒体に記録されたプログラムは、通信システムの各構成要素それぞれに設けられたＣＰＵ（Central Processing Unit）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００８３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ、ＣＤ−Ｒ／Ｗ、ＤＶＤ（Digital Versatile Disk）（登録商標）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
さらに、本発明は上述した実施の形態のみに限定されるものではなく、既に述べた本発明の要旨を逸脱しない範囲において種々の変更が可能であることは勿論である。本明細書で説明したそれぞれの実施形態による機能またはステップ及び/または動作は特定の順序で実行しなくてもよい。さらに、本発明の要素は、単数形で説明または請求されていることがあるが、単数形に限定することが明示的に述べられていない限り、複数形であってもよい。
【００８５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８６】
＜付記＞
上述した実施形態、及び実施例の一部或いは全部は、以下の付記のようにも記載されうるが、これらに限定されるものではない。
（付記１）
ユーザ装置と、
前記ユーザ装置に接続される端末と、
コアネットワーク装置と、
を有する通信システムであって、
前記ユーザ装置は、
前記ユーザ装置に接続される端末のＭＡＣ（Media Access Control）アドレスを示す第１の識別情報と、前記ユーザ装置のポート番号を示す第２の識別情報とを送信し、
前記コアネットワーク装置は、
前記第１の識別情報と、前記第２の識別情報とを受信し、
前記第１の識別情報に対応づけられた第３の識別情報であって、前記端末が送受信するパケットを制御するためのポリシーを識別する前記第３の識別情報を記憶し、
前記第２の識別情報と前記第３の識別情報とを含むポリシー情報を生成する、
通信システム。
（付記２）
前記コアネットワーク装置が含まれるコアネットワークと外部ネットワークとを接続するためのゲートウェイを有し、
前記ゲートウェイと前記ユーザ装置との間に確立されたベアラを介して、前記ユーザ装置に接続される複数の端末に関するパケットの送受信が行われる、
付記１に記載の通信システム。
（付記３）
前記コアネットワーク装置は、ＰＧＷ（Packet Data Network Gateway）、または前記ＰＧＷを制御するＰＣＲＦ（Policy and Charging Rules Function）に含まれる、
付記１または２に記載の通信システム。
（付記４）
前記ユーザ装置は、前記端末から送信されたパケットの送信元ポート番号を、前記端末のポート番号から、前記第２の識別情報に示されるポート番号に変換する、
付記１乃至３のいずれか一項に記載の通信システム。
（付記５）
前記ユーザ装置は、前記ユーザ装置から前記端末に向けて送信されるパケットの送信元ポート番号を、前記第２の識別情報に示されるポート番号から、前記端末のポート番号に変換する、
付記１乃至４のいずれか一項に記載の通信システム。
（付記６）
コアネットワーク装置であって、
ユーザ装置に接続される端末のＭＡＣ（Media Access Control）アドレスを示す第１の識別情報と、
前記ユーザ装置のポート番号を示す第２の識別情報を受信するように構成される受信機と、
前記第１の識別情報に対応づけられた第３の識別情報であって、前記端末が送受信するパケットを制御するためのポリシーを識別する前記第３の識別情報を記憶するように構成される記憶装置と、
前記第２の識別情報と前記第３の識別情報とを含むポリシー情報を生成するように構成されるプロセッサと、を有する、
コアネットワーク装置。
（付記７）
前記コアネットワーク装置が含まれるコアネットワークと外部ネットワークとを接続するためのゲートウェイと、前記ユーザ装置との間に確立されたベアラを介して、前記ユーザ装置に接続される複数の端末に関するパケットの送受信が行われる、
付記６に記載のコアネットワーク装置。
（付記８）
前記コアネットワーク装置は、ＰＧＷ（Packet Data Network Gateway）、または前記ＰＧＷを制御するＰＣＲＦ（Policy and Charging Rules Function）に含まれる、
付記６または７に記載のコアネットワーク装置。
（付記９）
前記端末から送信されたパケットの送信元ポート番号が、前記端末のポート番号から、前記第２の識別情報に示されるポート番号に変換される、
付記６乃至８のいずれか一項に記載のコアネットワーク装置。
（付記１０）
前記ユーザ装置から前記端末に向けて送信されるパケットの送信元ポート番号が、前記第２の識別情報に示されるポート番号から、前記端末のポート番号に変換される、
付記６乃至９のいずれか一項に記載のコアネットワーク装置。
（付記１１）
ユーザ装置に接続される端末のＭＡＣ（Media Access Control）アドレスを示す第１の識別情報と、前記ユーザ装置のポート番号を示す第２の識別情報とを受信し、
前記第１の識別情報に対応づけられた第３の識別情報であって、前記端末が送受信するパケットを制御するためのポリシーを識別する前記第３の識別情報を特定し、
前記第２の識別情報と前記第３の識別情報とを含むポリシー情報を生成する、
通信方法。
（付記１２）
コアネットワークと外部ネットワークとを接続するためのゲートウェイと、前記ユーザ装置との間に確立されたベアラを介して、前記ユーザ装置に接続される複数の端末に関するパケットの送受信が行われる、
付記１１に記載の通信方法。
（付記１３）
前記ポリシー情報の生成が、ＰＧＷ（Packet Data Network Gateway）、または前記ＰＧＷを制御するＰＣＲＦ（Policy and Charging Rules Function）にて実施される、
付記１１または１２に記載の通信方法。
（付記１４）
前記端末から送信されたパケットの送信元ポート番号が、前記端末のポート番号から、前記第２の識別情報に示されるポート番号に変換される、
付記１１乃至１３のいずれか一項に記載の通信方法。
（付記１５）
前記ユーザ装置から前記端末に向けて送信されるパケットの送信元ポート番号が、前記第２の識別情報に示されるポート番号から、前記端末のポート番号に変換される、
付記１１乃至１４のいずれか一項に記載の通信方法。
（付記１６）
ユーザ装置に接続される端末のＭＡＣ（Media Access Control）アドレスを示す第１の識別情報と、前記ユーザ装置のポート番号を示す第２の識別情報とを受信すること、
前記第１の識別情報に対応づけられた第３の識別情報であって、前記端末が送受信するパケットを制御するためのポリシーを識別する前記第３の識別情報を特定すること、
前記第２の識別情報と前記第３の識別情報とを含むポリシー情報を生成すること、
をコンピュータに実行させるプログラム。
（付記１７）
コアネットワークと外部ネットワークとを接続するためのゲートウェイと、前記ユーザ装置との間に確立されたベアラを介して、前記ユーザ装置に接続される複数の端末に関するパケットの送受信が行われる、
付記１６に記載のプログラム。
（付記１８）
前記ポリシー情報の生成が、ＰＧＷ（Packet Data Network Gateway）、または前記ＰＧＷを制御するＰＣＲＦ（Policy and Charging Rules Function）にて実施される、
付記１６または１７に記載のプログラム。
（付記１９）
前記端末から送信されたパケットの送信元ポート番号が、前記端末のポート番号から、前記第２の識別情報に示されるポート番号に変換される、
付記１６乃至１８のいずれか一項に記載のプログラム。
（付記２０）
前記ユーザ装置から前記端末に向けて送信されるパケットの送信元ポート番号が、前記第２の識別情報に示されるポート番号から、前記端末のポート番号に変換される、
付記１６乃至１９のいずれか一項に記載のプログラム。
【００８７】
この出願は、２０１６年７月１５日に出願された日本出願特願２０１６−１４０３１９を基礎とする優先権を主張し、その開示の全てをここに取り込む。
【符号の説明】
【００８８】
１０  端末
２０  ユーザ装置
３０  ｅＮｏｄｅＢ
３１  ＳＧＷ
３２  ＭＭＥ
４０  コアネットワーク
６０  ＰＧＷ
７０  端末管理システム
８０  ＰＣＲＦ
９０  ＰＤＮ
１００  ＭＡＣアドレス
２１１  無線ＬＡＮ送受信部
２１２  通信制御部
２１３  端末接続部
２１４  データベース
２１５  端末管理テーブル
２１６  ３ＧＰＰ送受信部
５００  識別ポート番号
６００  ＵＥ識別子
７１０  受信部
７１１  端末管理部
７１２  データベース
７１３  端末管理テーブル
７１４  ポリシー管理テーブル
７１５  送信部
８００  ポリシー識別子
１０００  ユーザ装置
１００１  第１送受信機
１００２  記憶装置
１００３  第２送受信機
２０００  コアネットワーク装置
２００１  受信機
２００２  記憶装置
２００３  プロセッサ
３０００  通信システム
３００１  端末
３００２  ユーザ装置
３００３  アクセスネットワーク
３００４  コアネットワーク
３００５  コアネットワーク装置
【図１】
2018012483.tif 000003
【図２】
2018012483.tif 000004
【図３】
2018012483.tif 000005
【図４】
2018012483.tif 000006
【図５】
2018012483.tif 000007
【図６】
2018012483.tif 000008
【図７】
2018012483.tif 000009
【図８】
2018012483.tif 000010
【国際調査報告】
2018012483.tif 000011
2018012483.tif 000012
2018012483.tif 000013
2018012483.tif 000014